(57)【要約】【課題】  付箋紙を迅速に取り出すことができる用具を提供する。【解決手段】  少なくとも一つの付箋紙収納用凹部を有するベース部材を備えることを特徴とする付箋紙収納具。前記付箋紙収納用凹部の底面を昇降させる昇降手段を備えていてもよい。また、前記付箋紙収納用凹部には、この付箋紙収納用凹部に収納された付箋紙束をめくりとるために人の指が挿入される指挿入部が連通していてもよい。また、前記付箋紙収納用凹部は、付箋紙束の幅よりも若干短く設定されている幅部分を備えていてもよい。【選択図】図２
2006240290.tif 000002
【特許請求の範囲】
【請求項１】
少なくとも一つの付箋紙収納用凹部を有するベース部材を備えることを特徴とする付箋紙収納具。
【請求項２】
少なくとも一つの付箋紙収納用凹部を有する少なくとも二つのベース部材と、
前記各ベース部材を組み合わせる組み合せ手段と、
を備えることを特徴とする付箋紙収納具。
【請求項３】
前記付箋紙収納用凹部の底面を昇降させる昇降手段を備えることを特徴とする請求項１又は２に記載の付箋紙収納具。
【請求項４】
前記付箋紙収納用凹部には、この付箋紙収納用凹部に収納された付箋紙束をめくりとるために人の指が挿入される指挿入部が連通していることを特徴とする請求項１又は２に記載の付箋紙収納具。
【請求項５】
前記付箋紙収納用凹部は、付箋紙束の幅よりも若干短く設定されている幅部分を備えることを特徴とする請求項１又は２に記載の付箋紙収納具。
【請求項６】
前記ベース部材は、その厚み方向に少なくとも一つの付箋紙収納用の開口が貫通したプレートに別のプレートを重ねて構成されていることを特徴とする請求項１又は２に記載の付箋紙収納具。
【請求項７】
前記ベース部材は、回転体であることを特徴とする請求項１に記載の付箋紙収納具。
【請求項８】
前記付箋紙収納用凹部内壁に、付箋紙束の残枚数が一定数以下になったことを表す表示が表示されていることを特徴とする請求項１又は２に記載の付箋紙収納具。
【請求項９】
付箋紙をその両側から把持する把持手段を有するベース部材を備えることを特徴とする付箋紙収納具。
【請求項１０】
前記把持手段は、付箋紙の幅よりも若干短く設定されている幅部分を備える付箋紙収納用凹部であることを特徴とする請求項９に記載の付箋紙収納具。
【発明の詳細な説明】
【技術分野】
【０００１】  本発明は、付箋紙（付箋紙束ともいう）を収納するための用具に関する。
【背景技術】
【０００２】  従来、書籍等に貼り付け剥がすことができる付箋紙が各種の用途に用いられている。しかしながら、一般的に、付箋紙は机の中等にしまわれることが多いが、常に定まった場所にしまわれるとは限らないから、消しゴムや他の筆記用具などと混在することになり、付箋紙を迅速に取り出せないという問題がある。しかも、付箋紙のサイズや色や形状はまちまちであるから、これによってもまた、所望の付箋紙を迅速に取り出せないという問題がある。
なお、本発明に関連すると思われるものとして単一材料で一枚ずつの取り出しを行うことのできる付箋紙収納容器がある（特許文献１）。
【特許文献１】    特開平８−１９２８７６号公報
【発明の開示】
【発明が解決しようとする課題】
【０００３】  本発明の課題は、付箋紙を迅速に取り出すことができる用具を提供することにある。
【課題を解決するための手段】
【０００４】  本発明は、上記の課題を解決するためになされたものであり、次のように構成した。【０００５】  少なくとも一つの付箋紙収納用凹部を有するベース部材を備えることを特徴とする付箋紙収納具。【０００６】  本発明によれば、付箋紙収納用凹部を有するので、第一に、付箋紙を整理して収納することが可能となる。第二に、付箋紙を迅速に取り出すことが可能となる。【０００７】  また、本発明は次のように特定することができる。【０００８】  少なくとも一つの付箋紙収納用凹部を有する少なくとも二つのベース部材と、前記各ベース部材を組み合わせる組み合せ手段と、を備えることを特徴とする付箋紙収納具。【０００９】  本発明によれば、付箋紙収納用凹部を有するので、第一に、付箋紙を整理して収納することが可能となる。第二に、付箋紙を迅速に取り出すことが可能となる。第三に、利用者は好みのサイズ・形状の凹部が形成されたベース部材（ユニット、又は、ユニット化された付箋紙収納具ともいえる）を選択して組み合わせることで、利用者好みの付箋紙収納具を容易に構成することが可能となる。第四に、異なる色・サイズ・形状の付箋紙束を各凹部に整理して収納できるので、必要なときに、必要な色・サイズ・形状の付箋紙を迅速に取り出すことが可能となる。【００１０】  また、上記の付箋紙収納具においては、例えば、前記付箋紙収納用凹部の底面を昇降させる昇降手段を備える。【００１１】  このようにすれば、例えば、付箋紙をめくりとって付箋紙束の厚みが薄くなったとしても、付箋紙収納用凹部の底面を上昇させることが可能であるから、第一に、付箋紙を取り出し（めくりとり）にくくなることがない。第二に、付箋紙収納用凹部の内壁がじゃまになって最上部の付箋紙にメモ書き等しにくくなるということもない。【００１２】  また、上記の付箋紙収納具においては、例えば、前記付箋紙収納用凹部には、この付箋紙収納用凹部に収納された付箋紙束をめくりとるために人の指が挿入される指挿入部が連通していてもよい。【００１３】  このようにすれば、付箋紙収納用凹部から付箋紙を取り出すことなく、付箋紙収納用凹部に収納されたままの状態で、付箋紙をめくりとることが可能となる。【００１４】  また、上記の付箋紙収納具においては、例えば、前記付箋紙収納用凹部は、付箋紙束（例えば付箋紙束の側面および底面）を囲むように構成されている。【００１５】  このようにすれば、付箋紙束の収納が容易になる。【００１６】  また、上記の付箋紙収納具においては、例えば、前記ベース部材は、合成樹脂材料で構成されている。【００１７】  これは、ベース部材を構成する材料の一例である。従って、コストを重視するのであればより安価な材料を用いることができるし、また強度を重視するのであれば金属材料を用いることもできる。また、前記ベース部材は、合成樹脂材料等で一体的に構成してもよいし、あるいは、複数部品を組み合わせて構成してもよい。例えば、その厚み方向に少なくとも一つの付箋紙束収納用の開口が貫通したプレートに別のプレートを重ねて構成することが考えられる。【００１８】  また、上記の付箋紙収納具においては、例えば、前記付箋紙収納用凹部は、付箋紙束の幅よりも若干短く設定されている幅部分を備える。【００１９】  このようにすれば、付箋紙束が付箋紙収納用凹部内壁によって両側からしっかりと把持されることになるから、第一に、付箋紙収納具を手で軽く固定するだけで（あるいはまったく固定することなく）、最上部の付箋紙に容易にメモ書き等することが可能となる（従来は、筆記具を把持したのとは反対側の手で付箋紙束をしっかり固定しなければ、付箋紙束が安定せず、最上部の付箋紙にメモ書き等しにくかった。特に小サイズの付箋紙束の場合。）。第二に、付箋紙をめくりとっても、これにつられて残りの付箋紙束が持ち上がることもない。第三に、仮にベース部材を傾けたとしても、付箋紙束が付箋紙収納用凹部から脱落するのを防止することが可能となる。【００２０】  なお、前記付箋紙収納用凹部内壁の少なくとも一つに弾性体を設けることによっても付箋紙束の幅よりも若干短い幅部分を設定することが可能である。これによっても、付箋紙束が付箋紙収納用凹部内壁（弾性体）によって両側からしっかりと把持されることになるから、付箋紙収納具を手で軽く固定するだけで（あるいはまったく固定することなく）、最上部の付箋紙に容易にメモ書き等することが可能となる。【００２１】  また、上記の付箋紙収納具においては、例えば、前記ベース部材は、回転体である。【００２２】  このようにすれば、比較的省スペースに多数の付箋紙束を収納することが可能となる。【００２３】  また、上記の付箋紙収納具においては、例えば、前記付箋紙収納用凹部内壁に、付箋紙束の残枚数が一定数以下になったことを表す表示が表示されている。【００２４】  このようにすれば、付箋紙をめくりとっていくとやがて、付箋紙束の残枚数が一定数となったことを表す表示が付箋紙収納用凹部内壁に現れるから、この表示を目視することで、付箋紙束の残枚数が一定数以下となったこと（例えば、付箋紙の補充時期が迫っていること）を把握することが可能となる。【００２５】  また、上記の付箋紙収納具においては、例えば、前記ベース部材は前記付箋紙収納用凹部を覆うカバーを備える。【００２６】  このようにすれば、付箋紙等をほこり等から保護することが可能となる。なお、カバーとしては、ベース部材に対して揺動することにより開閉するタイプであってもよいし、あるいはベース部材に対してスライドすることにより開閉するタイプであってもよい。【００２７】  また、上記の付箋紙収納具においては、例えば、前記ベース部材は、複数の付箋紙収納用凹部を有する。【００２８】  このようにすれば、複数の付箋紙収納用凹部を有するので、第一に、異なる色・サイズ・形状（又は、同一の色・サイズ・形状等）の付箋紙束を各付箋紙収納用凹部に整理して収納することが可能となる。第二に、必要なときに、必要な色・サイズ・形状の付箋紙を迅速に取り出すことが可能となる。【００２９】  本発明は、次のように特定することもできる。【００３０】  付箋紙をその両側から把持する把持手段を有するベース部材を備えることを特徴とする付箋紙収納具。【００３１】  上記の付箋紙収納具においては、例えば、前記把持手段は、付箋紙の幅よりも若干短く設定されている幅部分を備える付箋紙収納用凹部である。これは、把持手段の例示である。従って、把持���段は付箋紙収納用凹部に限定されない。【００３２】  このようにすれば、付箋紙束が付箋紙収納用凹部内壁によって両側からしっかりと把持されることになるから、第一に、付箋紙収納具を手で軽く固定するだけで（あるいはまったく固定することなく）、最上部の付箋紙に容易にメモ書き等することが可能となる（従来は、筆記具を把持したのとは反対側の手で付箋紙束をしっかり固定しなければ、付箋紙束が安定せず、最上部の付箋紙にメモ書き等しにくかった。特に小サイズの付箋紙束の場合。）。第二に、付箋紙をめくりとっても、これにつられて残りの付箋紙束が持ち上がることもない。第三に、仮にベース部材を傾けたとしても、付箋紙束が付箋紙収納用凹部から脱落するのを防止することが可能となる。【００３３】  本発明は、次のように特定することもできる。【００３４】  付箋紙束がはまり込む少なくとも一つの陥没部を有するベース部材を備える付箋紙収納具。【００３５】  本発明によれば、付箋紙束を陥没部に整理して収納できるので、付箋紙を迅速に取り出すことが可能となる。
【発明の効果】
【００３６】  本発明によれば、付箋紙を迅速に取り出すことができる用具を提供することが可能となる。
【発明を実施するための最良の形態】
【００３７】  以下、本発明の第一実施形態である付箋紙収納具について図面を参照しながら説明する。図１、図２および図３は、本発明の第一実施形態である付箋紙収納具を説明するための図である。【００３８】  本発明の第一実施形態である付箋紙収納具は、その表面に付箋紙束Ｆ（市販の付箋紙等。いわゆるポストイット（登録商標）。）が緩くはまり込む少なくとも一つの付箋紙収納用凹部１１（以下凹部１１ともいう。図１中五つの凹部１１を、図３中三つの凹部１１を、それぞれ例示）を有するベース部材１０を備える。
ベース部材１０は、凹部１１に収納された付箋紙Ｆ′をめくりとるために人の指が挿入される指挿入部１２を備える。なお、凹部１１と指挿入部１２とは連通している。【００３９】  これにより、凹部１１から付箋紙束Ｆを取り出すことなく、凹部１１に収納されたままの状態で、付箋紙Ｆ′をめくりとることが可能となる。なお、凹部１１は、付箋紙束Ｆの色数（例えば、黄色、ピンク、緑、青）やサイズ（例えば、大、中、小）や形状（例えば、星型、ハート型、キャラクターの輪郭）等にあわせてこれら各付箋紙束Ｆがはまり込むように、適宜の数、適宜のサイズ、適宜の形状等とすることが可能なのは無論である。【００４０】  凹部１１は、付箋紙束Ｆ（図１および図２中付箋紙束Ｆの側面および底面を例示）を囲むように構成されている。これにより、付箋紙束Ｆの収納が容易になる。【００４１】  ベース部材１０は、合成樹脂材料で一体的に構成されている。なお、コストを重視するのであればより安価な材料を用いることができるし、また強度を重視するのであれば金属材料を用いることもできる。【００４２】  ベース部材１０は、凹部１１を覆うために、ベース部材１０にヒンジ部を介して取り付けられ、ベース部材１０対して揺動することにより開閉するカバーＫを備える。これにより、付箋紙束Ｆ等をほこり等から保護することが可能となる。なお、カバーＫとしては、ベース部材１０に対してスライドすることにより開閉するタイプであってもよい。【００４３】  また、ベース部材１０は、例えばゴム等の滑り止め１３をその下部（図２では二箇所）に設けている。これにより、指挿入部１２に指を入れて付箋紙Ｆ′をめくりとろうとする際にベース部１０がすべるのを防止し得る。【００４４】  以上説明したように、本実施形態の付箋紙収納具によれば、複数の凹部１１を有するので（図１、図２、及び図３参照）、第一に、異なる色・サイズ・形状（又は、同一の色・サイズ・形状等）の付箋紙束Ｆを各凹部１１に整理して収納することが可能となる。第二に、必要なときに、必要な色・サイズ・形状の付箋紙束Ｆを迅速に取り出す（又は付箋紙Ｆ′をめくりとる）ことが可能となる。【００４５】  次に、本発明の第二実施形態である付箋紙収納具について図面を参照しながら説明する。図４は、本発明の第二実施形態である付箋紙収納具を説明するための図である。【００４６】  本発明の第二実施形態である付箋紙収納具は、第一実施形態の付箋紙収納具とは異なり、図４に示すように、その凹部１１が付箋紙束Ｆの幅Ｈ１よりも若干短く設定されている幅部分Ｈ２を備えている。すなわち、本発明の第二実施形態である付箋紙収納具は、その表面に付箋紙束Ｆが若干きつくはまり込む少なくとも一つの付箋紙収納用凹部１１（以下凹部１１ともいう）を有するベース部材１０を備える。なお、他の構成については、第一実施形態と同様であるので同一の符号を付し、その説明を省略する。【００４７】  以上説明したように、本実施形態の付箋紙収納具によれば、付箋紙束Ｆが凹部１１内壁（本発明の把持手段に相当）によって両側からしっかりと把持されることになるから、第一に、付箋紙収納具を手で軽く固定するだけで（あるいはまったく固定することなく）、最上部の付箋紙に容易にメモ書き等することが可能となる。第二に、付箋紙をめくりとっても、これにつられて残りの付箋紙束が持ち上がることもない。第三に、仮にベース部材１０を傾けたとしても、付箋紙束Ｆが凹部１１から脱落するのを防止することが可能となる。【００４８】  なお、図５に示すように、凹部１１内壁（図５中幅方向の両内壁を例示）にゴムやスポンジ等の弾性体１８を設けることによっても付箋紙束Ｆの幅Ｈ１よりも若干短い幅部分Ｈ２を設定することが可能である。これによっても、付箋紙束Ｆが凹部１１内壁（弾性体１８）によって両側からしっかりと把持されることになるから、付箋紙収納具を手で軽く固定するだけで（あるいはまったく固定することなく）、最上部の付箋紙に容易にメモ書き等することが可能となる。【００４９】  次に、本発明の第三実施形態である付箋紙収納具について図面を参照しながら説明する。図６は、本発明の第三実施形態である付箋紙収納具を説明するための図である。【００５０】  本発明の第三実施形態である付箋紙収納具は、第一実施形態の付箋紙収納具とは異なり、図６に示すように、ユニット化されている。【００５１】  すなわち、本発明の第三実施形態である付箋紙収納具は、付箋紙束Ｆが緩く（又は若干きつく）はまり込む少なくとも一つの凹部１１（図６中一つの凹部１１を例示）を有するベース部材を少なくとも二つ（図６中三つのベース部材１０ａ、１０ｂ、１０ｂを例示）組み合わせて構成される。各ベース部材は、図７や図８に示すように、公知の手段（例えば磁石やネジ止め）により組み合わされて、一つの付箋紙収納具を構成することが可能となっている。【００５２】  例えば、図７に示すように、異なるサイズ・形状の凹部１１が形成されたベース部材（図７中三つのベース部材を例示）を選択して組み合わせることが考えられる。あるいは、図８に示すように、同一サイズ・同一形状の凹部１１が形成されたベース部材（図８中三つのベース部材を例示）を選択して組み合わせることも考えられる。なお、他の構成については、第一実施形態と同様であるので同一の符号を付し、その説明を省略する。【００５３】  以上説明したように、本実施形態の付箋紙収納具によれば、利用者は、好みのサイズ・形状の凹部１１が形成されたベース部材を選択して組み合わせることができるので、利用者好みの付箋紙収納具を容易に構成することが可能となる。【００５４】  次に、変形例について説明する。【００５５】  上記各実施形態の付箋紙収納具においては、付箋紙をめくりとっていくごとに、付箋紙束Ｆの厚みが薄くなり、付箋紙を取り出し（めくりとり）にくくなる。また、凹部１１内壁がじゃまになって最上部の付箋紙にメモ書き等しにくくなる。これらを防止するために、凹部底面１４を昇降させるための手段を備えるようにしてもよい。【００５６】  この手段としては各種のものが考えられる。例えば、図９に示すように、凹部１１の下方にネジ穴１５ａが貫通したボールネジ支持体１５をベース部材１０と一体的に設け、そのネジ穴１５ａにボールネジ１６を螺合させ、そのボールネジ１６の一端を凹部底面１４（ベース部材１０とは別体）にベアリング等を介して回転自在に固定し、その他端にダイアル等の把持体１７等を固定することが考えられる。【００５７】  これにより、把持体１７を回転（又は逆回転）させることで、凹部底面１４を凹部１１内壁に沿って昇降させることが可能となる。図９は凹部底面１４が下限に位置している例であり、図１０は凹部底面１４が下限と上限の中間に位置している例である。【００５８】  このようにすれば、付箋紙をめくりとって付箋紙束Ｆの厚みが薄くなったとしても、把持体１７を回転させることで、凹部底面１４を上昇させることが可能であるから、第一に、付箋紙を取り出し（めくりとり）にくくなることがない。第二に、凹部１１内壁がじゃまになって最上部の付箋紙にメモ書き等しにくくなるということもない。なお、付箋紙を使い切ったあとは、把持体１７を逆回転させることで、凹部底面１４を下限まで降下させ、これにより、凹部１１に新たな付箋紙束Ｆを収納することが可能である。【００５９】  また、図１１に示すように、付箋紙Ｆ′を一枚めくりとったことを検出するセンサ１９（例えば最上部の付箋紙に接するマイクロスイッチ）と、その回転軸がボールネジ１６に（直接又はギヤ等を介して間接に）接続されたモータ２０と、センサ１９からの入力に基づいてモータ２０を回転制御する制御装置２１と、をベース部材１１に設け、このモータ２０によりボールネジ１６を回転させるようにしてもよい。【００６０】  このようにすれば、凹部底面１４を自動的に昇降させることが可能となる。すなわち、めくりとった付箋紙数に応じて凹部底面１４を最適位置に（例えば最上部の付箋紙とベース部材１０表面とが常に面一となるように）位置させることが可能となる。さらに所定枚数（例えば付箋紙束Ｆの総枚数）めくりとった場合に凹部底面１４を自動的に下限まで下降させることも可能となる。【００６１】  また、上記各実施形態の付箋紙収納具においては、付箋紙をめくりとっていくごとに、付箋紙束Ｆの厚みが薄くなっていくが、付箋紙束Ｆが凹部１１内壁で囲われているため、付箋紙束Ｆの残枚数を目視できない。これを防止するために、図１１に示すように、付箋紙束Ｆの残枚数（例えば、付箋紙束Ｆの総枚数−めくりとった付箋紙数）等を表示する表示部２２をベース部材１１に設けるようにしてもよい。【００６２】  あるいは、図１８に示すように、凹部１１内壁１１ａに、付箋紙束の残枚数が一定数以下となったことを表す表示１１ｂを表示することも考えられる。例えば、凹部１１内壁１１ａの下方に特定色（例えば赤色）ライン１１ｂを描画しておく。【００６３】  このようにすれば、付箋紙Ｆ′をめくりとっていくとやがて、図１９に示すように、付箋紙束の残枚数が一定数以下となったことを表す表示１１ｂが凹部１１内壁１１ａに現れる。従って、この表示１１ｂを目視することで、付箋紙束Ｆの残枚数が一定数以下となったこと（例えば、付箋紙の補充時期が迫っていること）を把握できる。【００６４】  また、第三実施形態の付箋紙収納具においては、各ベース部材を公知の手段（例えば磁石やネジ止め）により組み合わせるように説明したが、本発明はこれに限定されない。例えば、図１２に示すような枠体３０（底面３１を有していてもよいし、有していなくてもよい）に、図１３、図１４に示すように、各ベース部材１０ａ、１０ｂ、１��ｃを緩く（又は若干きつく）はめ込むことで組み合わせるようにしてもよい。【００６５】  また、上記各実施形態の付箋紙収納具においては、ベース部材１０は合成樹脂材料等で一体的に構成されるように説明したが、本発明はこれに限定されない。例えば、複数部品を組み合わせて構成してもよい。例えば、図１５に示すように、その厚み方向に付箋紙束Ｆが緩く（又は若干きつく）はまり込む少なくとも一つの付箋紙束収納用の開口１１が貫通したプレート１０１（例えば、プラスチックプレート、金属プレート、木材プレート）にこのプレート１０１とは別のプレート１０２（例えば、プラスチックプレート、金属プレート、木材プレート）を重ねる（例えばネジや接着剤で張り合わせる）ことで、ベース部材１０を構成するようにしてもよい。【００６６】  また、上記各実施形態の付箋紙収納具においては、図１等に示すように、ベース部材１０が平板である例について説明したが、本発明はこれに限定されない。例えば、図１６、図１７に示すように、ベース部材１０は、その表面に付箋紙束Ｆが緩く（又は若干きつく）はまり込む少なくとも一つの凹部１１（図１７中四つの凹部１１を例示）を有する回転体（図１６、図１７中円筒形を例示）であってもよい。【００６７】  この回転体としては各種のものが考えられる。例えば、図１６に示すように、ベース板４１に一定間隔をおいて垂直方向に延びる一対の支持アーム４２、４２を配置し、この各支持アーム４２、４２によって、円筒形ベース部材１０（回転体）両側を回転軸４３を介して回転可能に支持することが考えられる。【００６８】  このようにすれば、比較的省スペースに多数の付箋紙束Ｆを収納することが可能となる。【００６９】  また、上記第二実施形態の付箋紙収納具においては、ベース部材１０は、その表面に付箋紙束Ｆが若干きつくはまり込む少なくとも一つの凹部１１を有し、この凹部１１が本発明の把持手段の一例であるように説明したが、本発明はこれに限定されない。例えば、ベース部材１０は、付箋紙束Ｆが若干きつくはまり込むように、その表面に一定間隔をおいて配置された一対の壁面（その表面から突出している壁面。固定あるいは可動のいずれであってもよい）を有していてもよい。この場合、この壁面が本発明の把持手段に相当する。【００７０】  本発明は、その精神または主要な特徴から逸脱することなく、他の様々な形で実施することができる。このため、上記の実施形態はあらゆる点で単なる例示にすぎない。上記の実施形態によって本発明が限定的に解釈されるものではない。
【産業上の利用可能性】
【００７１】  本発明によれば、付箋紙を迅速に取り出すことができる用具を提供することが可能となる。
【図面の簡単な説明】
【００７２】
【図１】  本発明の第一実施形態である付箋紙収納具（付箋紙が緩くはまり込む付箋紙収納具）の平面図である。
【図２】  本発明の第一実施形態である付箋紙収納具の側面断面図である。
【図３】  本発明の第一実施形態である付箋紙収納具の平面図である。
【図４】  本発明の第二実施形態である付箋紙収納具（付箋紙が若干きつくはまり込む付箋紙収納具）の平面図である。
【図５】  本発明の第二実施形態である付箋紙収納具の平面図である。
【図６】  本発明の第三実施形態である付箋紙収納具（ユニット化された付箋紙収納具）の平面図である。
【図７】  本発明の第三実施形態である付箋紙収納具の平面図である。
【図８】  本発明の第三実施形態である付箋紙収納具の平面図である。
【図９】  本発明の各実施形態である付箋紙収納具の変形例（昇降手段）を説明するための図である。
【図１０】  本発明の各実施形態である付箋紙収納具の変形例（昇降手段）を説明するための図である。
【図１１】  本発明の各実施形態である付箋紙収納具の変形例（昇降手段）を説明するための図である。
【図１２】  本発明の第三実施形態である付箋紙収納具の変形例（組み合わせ手段）を説明するための図である。
【図１３】  本発明の第三実施形態である付箋紙収納具の変形例（組み合わせ手段）を説明するための図である。
【図１４】  本発明の第三実施形態である付箋紙収納具の変形例（組み合わせ手段）を説明するための図である。
【図１５】  本発明の各実施形態である付箋紙収納具の変形例（複数部品で付箋紙収納具を構成した例）を説明するための図である。
【図１６】  本発明の各実施形態である付箋紙収納具の変形例（ベース部材が円筒形の例）を説明するための図である。
【図１７】  図１６のベース部材をＡ−Ａ′で切断した断面図である。
【図１８】  本発明の各実施形態である付箋紙収納具の変形例（付箋紙束の残枚数が一定数以下となったことを表す表示例）を説明するための図である。
【図１９】  本発明の各実施形態である付箋紙収納具の変形例（付箋紙束の残枚数が一定数以下となったことを表す表示例）を説明するための図である。
【符号の説明】
【００７３】１０      ベース部材
１１      凹部
１２      指挿入部
１３      滑り止め
１４      凹部底面
１５      ボールネジ支持体
１６      ボールネジ
１７      把持体
１８      弾性体
１９      センサ
２０      モータ
２１      制御装置
２２      表示部
３０      枠体
３１      底面
４１      ベース板
４２      支持アーム
４３      回転軸
Ｆ        付箋紙束
Ｋ        カバー
【図１】
2006240290.tif 000003
【図２】
2006240290.tif 000004
【図３】
2006240290.tif 000005
【図４】
2006240290.tif 000006
【図５】
2006240290.tif 000007
【図６】
2006240290.tif 000008
【図７】
2006240290.tif 000009
【図８】
2006240290.tif 000010
【図９】
2006240290.tif 000011
【図１０】
2006240290.tif 000012
【図１１】
2006240290.tif 000013
【図１２】
2006240290.tif 000014
【図１３】
2006240290.tif 000015
【図１４】
2006240290.tif 000016
【図１５】
2006240290.tif 000017
【図１６】
2006240290.tif 000018
【図１７】
2006240290.tif 000019
【図１８】
2006240290.tif 000020
【図１９】
2006240290.tif 000021